(57)【要約】【課題】係止部の回動支点に捩じれる力が加わらず、係止部材が破損する恐れを少なくできる分電盤を提供する。【解決手段】引掛部７を有したベース１と、このベース１に対して高さ方向に並設した複数の導電バー２〜４と、これらの導電バー２〜４のうちの最上段の導電バー４に基端が取着されて先端に導電バー４の幅方向へ突出する係止部２２を設けた係止部材６と、一方側に受刃１６、１７を設けるとともに他方側に被引掛部１８を設け、更に一方側上面には受刃１６、１７に導電バー２〜４を差し込んだ状態で係止部２２に係脱可能に係止される被係止部２３が設けられた複数のプラグインブレーカ５とを備え、係止部材６は、先端に係止部２２を有した係止部材本体２５と、この係止部材本体２５とは別体であって係止部材本体２５の基端側を回動自在に軸支する支持体２６とで構成されている。【選択図】　図１
2004147375.tif 000002
【特許請求の範囲】
【請求項１】
引掛部を有したベースと、このベースに対して高さ方向に並設した複数の導電バーと、これらの導電バーのうちの最上段の導電バーに基端が取着されて先端に前記導電バーの幅方向へ突出する係止部を設けた係止部材と、一方側に前記導電バーを差込接続する受刃を設けるとともに他方側に前記引掛部に引掛けられる被引掛部を設け、更に一方側上面には前記受刃に前記導電バーを差し込んだ状態で前記係止部に係脱可能に係止されて前記受刃が前記導電バーから外れる方向の移動を防止する被係止部が設けられて前記導電バーの延出方向に沿って横並びに前記ベースに並設される複数のプラグインブレーカと、を備えた分電盤において、
前記係止部材は、先端に前記係止部を有した係止部材本体と、この係止部材本体とは別体であって係止部材本体の基端側を前記導電バーの延出方向軸回りとして回動自在に軸支する支持体とで構成されたことを特徴とする分電盤。
【請求項２】
前記係止部に前記被係止部が係止された状態で、前記プラグインブレーカの−方側端面に当接する押出し片を前記係止部材本体に設けた請求項１記載の分電盤。
【請求項３】
前記被係止部は、前記係止部に当接する最先端側から徐々に上方へ突出する傾斜状に形成された請求項１または請求項２記載の分電盤。
【発明の詳細な説明】
【０００１】
【発明の属する技術分野】
本発明は、プラグインブレーカの先端に引掛けてプラグインブレーカが導電バーから外れる方向へ移動するのを防止する係止部材を有する分電盤に関する。
【０００２】
【従来の技術】
この種の分電盤としては、例えば図８および図９に示すように、ベース１００に引掛部１０１を形成するとともに、３つの導電バー１０２〜１０４のうちの最上段の導電バー１０４に係止部１０５を有する係止部材１０６を取着し、一方側に受刃１０７、１０８を設けるとともに他方側に被引掛部１０９を設けたプラグインブレーカ１１０を導電バー１０２〜１０４の幅方向から取着し、プラグインブレーカ１１０の一方側上面に形成された被係止部１１１を係止部１０５に係止させるとともにベース１００の引掛部１０１を被引掛部１０９に引掛けてプラグインブレーカ１１０が導電バー１０２〜１０４から離れる方向の移動を規制している。
【０００３】
ここで係止部材１０６は、合成樹脂成形品からなり、一端が支点となる連結片により一体に支持された弾性突出片１１２が形成されており、この弾性突出片１１２の先端部が正規位置に配置されるプラグインブレーカ１１０の一方側上面に臨むように突出しており、その先端部両側にはプラグインブレーカ１１０の一方側上面に並設した２つの突起状の被係止部１１１に係止する係止部１０５を側方に突出形成している。また連結片を間にして弾性突出片１２と反対側に操作片１１４を延出している（特許文献１参照）。
【０００４】
【特許文献１】
特開２００１−１３６６１１号公報（第４頁第６列第３行目〜第２３行目、第５頁第８列第４行目〜第１８行目、図１、図７）
【０００５】
【発明が解決しようとする課題】
上述した分電盤にあっては、プラグインブレーカ１１０の被係止部１１１を係止してプラグインブレーカ１１０が導電バー１０２〜１０４から外れる方向へ抜けるのを防止する係止部１０５を、一端が連結片により支持された弾性突出片１１２の先端に形成しているので、プラグインブレーカ１１０を導電バー１０２〜１０４から外すとき、操作片１１４をドライバ等で押圧して弾性突出片１１２の係止部１０５を被係止部１１１から外す際、連結片の支点に捩じれる力が加わって、係止部材１０６が破損してしまう恐れがあった。
【０００６】
本発明は、かかる事由に鑑みて成されたものであり、その目的とするところは、係止部の回動支点に捩じれる力が加わらず、もって係止部材が破損する恐れを少なくできる分電盤を提供することにある。
【０００７】
【課題を解決するための手段】
請求項１記載の分電盤は、引掛部を有したベースと、このベースに対して高さ方向に並設した複数の導電バーと、これらの導電バーのうちの最上段の導電バーに基端が取着されて先端に導電バーの幅方向へ突出する係止部を設けた係止部材と、一方側に前記導電バーを差込接続する受刃を設けるとともに他方側に前記引掛部に引掛けられる被引掛部を設け、更に一方側上面には前記受刃に前記導電バーを差し込んだ状態で前記係止部に係脱可能に係止されて前記受刃が導電バーから外れる方向の移動を防止する被係止部が設けられて前記導電バーの延出方向に沿って横並びに前記ベースに並設される複数のプラグインブレーカと、を備えた分電盤において、
前記係止部材は、先端に前記係止部を有した係止部材本体と、この係止部材本体とは別体であって係止部材本体の基端側を前記導電バーの延出方向軸回りとして回動自在に軸支する支持体とで構成されたことを特徴とするものである。
【０００８】
請求項１記載の分電盤によれば、係止部材本体とは別体の支持体に基端側を回動自在に軸支させた係止部材本体の先端をプラグインブレーカの上面から離れる方向に回転させることによって係止部から被係止部を外すことができるので、従来のように回動支点に捩れる力が加わらず、もって係止部材が破損する恐れを少なくできる。
【０００９】
請求項２記載の分電盤は、請求項１において、前記係止部に前記被係止部が係止された状態で、前記プラグインブレーカの−方側端面に当接する押出し片を前記係止部材本体に設けたものである。
【００１０】
請求項２記載の分電盤によれば、請求項１と同様な効果のほか、係止部材本体を被係止部から外れる方向に押圧していくと、押出し片がプラグインブレーカの一方側端面に当接してプラグインブレーカを取り外す方向の力を蓄積し、そのまま係止部材本体を押圧して係止部から被係止部が外れると蓄積された力でプラグインブレ―カを簡単に取り外すことができ、そのためプラグインブレーカの取り外し作業が容易となる。
【００１１】
請求項３記載の分電盤は、請求項１または請求項２において、前記被係止部が、前記係止部に当接する最先端側から徐々に上方へ突出する傾斜状に形成されたものである。
【００１２】
請求項３記載の分電盤によれば、請求項１または請求項２と同様な効果のほか、係止部に被係止部を係止し易くなり、プラグインブレーカを取り付ける作業が容易となる。
【００１３】
【発明の実施の形態】
この発明の一実施の形態を図１から図７に基づいて説明する。この分電盤は、ベース１と、複数の導電バー２〜４と、プラグインブレーカ５と、係止部材６を有する。
【００１４】
ベース１は引掛部７を有するものである。実施の形態では中央部に仕切り部８を立設し、その両側に導電バー支持凹部９を形成している。ベース１上には仕切り部８を間にして向かい合わせにプラグインブレーカ５を載置するとともにその複数を横方向に並設する。ベース１は例えば後述の基台を介して分電盤の箱形のボディの内底部に取着される。引掛部７はベース１の両側縁で仕切り部８から離れる方向に突出する逆Ｌ字形に形成している。
【００１５】
複数の導電バー２〜４は、ベース１に対して高さ方向に最下段、中段および最上段の３段に並設している。実施の形態においては、導電バー２、３が仕切り部８の両側の導電バー支持凹部９にそれぞれ配置され、係合部１０、１１により固定されている。各導電バー２、３はそれぞれ仕切り部８に沿った立上り片１２を有し、立上り片１２よりプラグインブレーカ５毎に最下段の差し込み片１３を折返し、また中段の差し込み片１４を仕切り部８を乗り越えるように折曲げている。導電バー４は、ベース１の仕切り部８の両端に立設したポスト（図示せず）間に架設されて、差し込み片１３、１４に対して最上段に位置している。
【００１６】
複数のプラグインブレーカ５は、上記したように、導電バー２〜４の延出方向に沿って横並びにベース１に並設される。各プラグインブレーカ５の一方側に導電バー２〜４を差込接続する受刃１６、１７を設けるとともに他方側に引掛部７に引掛けられる被引掛部１８を設けている。導電バー２〜４を差し込ませるためプラグインブレーカ５の一方側に導電バー２〜４に対向する複数の溝２０を形成し、受刃１６は最上段の溝２０内に配置し、受刃１７は最下段の溝２０内に配置している。なお受刃１７は中段の溝２０に移動可能に構成されている。また実施の形態の被引掛部１８は引掛部７の形状に略合わせて、プラグインブレーカ５の側方と下方に開口する略逆Ｌ字形溝により凹状に形成している。したがって、プラグインブレーカ５は、ベース１に載置しながら被引掛部１８の凹みに引掛部７を嵌めて前方に移動することにより係止し、導電バー２〜４に受刃１６、１７を差し込んだとき完全な係止状態となり、ベース１から垂直に離れる方向の移動が規制され、反対に後方（他方側）に移動することにより被引掛部１８から外れることができる。更に一方側上面には受刃１６、１７に導電バー２〜４を差し込んだ状態で後述の係止部２２に係脱可能に係止されて受刃１６、１７が導電バー２〜４から外れる方向の移動を防止する被係止部２３が設けられている。被係止部２３は、プラグインブレーカ５毎に一対並設され、係止部２２に当接する当接開始となる最先端側から徐々に上方へ突出する傾斜状に形成されている。このため、被係止部２３に係止部２２が係止するとき斜面２３ａに沿って係止部２２を乗り越えることができるので、係止部２２に被係止部２３を係止し易くなり、プラグインブレーカ５を取り付ける作業が容易となる。
【００１７】
係止部材６は、導電バー２〜４のうちの最上段の導電バー４に基端が取着されて先端に導電バー４の幅方向へ突出する係止部２２を設けている。実施の形態では係止部材６は合成樹脂製であり、図４〜図６に示すように先端に係止部２２を有した操作片となる係止部材本体２５と、この係止部材本体２５とは別体であって係止部材本体２５の基端側を導電バー２〜４の延出方向軸回りとして回動自在に軸支する支持体２６とで構成されている。係止部材本体２５は平面略Ｔ字形平板であり、両肩が係止部２２となり、その下面は前方に向く傾斜面２２ａを形成している。係止部２２の間の下面には指先を引っ掛けることができる指掛け部３０を凹状に形成している。そして係止部材本体２５の平板の脚部の両側に軸部３１を突設している。各係止部材本体２５が各プラグインブレーカ５に対応してブレーカ設置数または設置予定数設けられている。支持体２６は略帯板状であり、その両側に各係止部材本体２５の脚部を挿入させる切欠状の凹部３３を形成し、その内側面に例えば孔状の軸受け部３２を形成している。この軸部３１と軸受け部３２は相互に入れ替えた構成でもよい。したがって、係止部材本体２５を凹部３３に挿入し、樹脂弾性を利用して軸部３１を軸受け部３２に嵌合することにより、係止部材本体２５が支持体２６に対して回動自在に取付けられる。支持体２６の端部は隣接する支持体（図示せず）との連結部３５を有し、また支持体２６の中間部には最上段の導電バー４に形成された孔に圧入する例えば突起からなる取着部３６が垂下されている。係止部材本体２５に被係止部２３を係止するときは係止部材本体２５の先端がプラグインブレーカ５の上面に載るようにプラグインブレーカ５をスライドし、係止部２２の斜面２２ａに被係止部２３の傾斜面２３ａをスライドして係止部２２を被係止部２３に乗り越えさせ例えば図１の状態に係止する。外すときは指掛け部３０に指先を引っ掛けて例えば図３に示すように係止部材本体２５を持ち上げるようにする。
【００１８】
このように、係止部材本体２５とは別体の支持体２６に基端側を回動自在に軸支させた係止部材本体２５の先端を、プラグインブレーカ５の上面から離れる方向に回転させることによって、係止部２２から被係止部２３を外すことができるので、従来のように回動支点に捩れる力が加わらず、もって係止部材６が破損する恐れを少なくできる。この点、従来例は係止部材全体が弾性体で形成されており、回動支点に涙じれる力が加わるので、係止部材が回動支点部分から破損してしまう恐れがあった。
【００１９】
また係止部材６は係止部２２に被係止部２３が係止された状態で、プラグインブレーカ５の−方側端面５ａに当接する押出し片３７を係止部材本体２５に設けている。実施の形態の押出し片３７は脚部の先端部より略Ｌ字形をなすように厚さ方向に突出した爪状の突起になっている。例えば図３の右側の係止部材本体２５のように係止部２２が被係止部２３に係止した状態で押出し片３７はプラグインブレーカ５の一方側端面５ａに当接する。係止部材本体２５を持ち上げるにつれ押出し片３７が一方側端面５ａを押すが係止部２２が被係止部２３から外れるまでは押圧したままで係止部材本体２５が弾性変形することにより押圧力を蓄え、係止部２２が被係止部２３から外れると図３の左側の係止部材本体２５の押出し片３７のようにプラグインブレーカ５を押し出す作用によりプラグインブレーカ５が導電バー２〜４から外れることができ、同時に引掛部７からも被引掛部１８が外れる方向に移動し、プラグインブレーカ５は単にベース１上に載置されただけの状態となる。
【００２０】
このように、被係止部２３が係止された状態で、プラグインブレーカ５の−方側端面５ａに当接する押出し片３７を係止部材本体２５に設けたため、係止部材本体２５を被係止部２３から外れる方向に持ち上げていくと、押出し片３７がプラグインブレーカ５の一方側端面５ａに当接して係止部材本体２５が弾性変形することによりプラグインブレーカ５を取り外す方向の力を蓄積し、そのまま係止部材本体２５を押し上げて係止部２２から被係止部２３が外れると蓄積された力でプラグインブレ―カ５を簡単に取り外すことができ、そのためプラグインブレーカ５の取り外し作業が容易となる。
【００２１】
図７は分電盤の蓋体を外した状態であり、ベース１を支持する基台４２が分電盤の箱形のボディ４３の内底部に取着され、ベース１上にプラグインブレーカ５が横２列に配置され、その列の端部で導電バー２〜４の端部が主幹ブレーカ４４に接続されている。４５は通線用のノックアウト部、４６はアース端子である。
【００２２】
【発明の効果】
請求項１記載の分電盤によれば、係止部材本体とは別体の支持体に基端側を回動自在に軸支させた係止部材本体の先端をプラグインブレーカの上面から離れる方向に回転させることによって係止部から被係止部を外すことができるので、従来のように回動支点に捩れる力が加わらず、もって係止部材が破損する恐れを少なくできる。
【００２３】
請求項２記載の分電盤によれば、請求項１と同様な効果のほか、係止部材本体を被係止部から外れる方向に押圧していくと、押出し片がプラグインブレーカの一方側端面に当接してプラグインブレーカを取り外す方向の力を蓄積し、そのまま係止部材本体を押圧して係止部から被係止部が外れると蓄積された力でプラグインブレ―カを簡単に取り外すことができ、そのためプラグインブレーカの取り外し作業が容易となる。
【００２４】
請求項３記載の分電盤によれば、請求項１または請求項２と同様な効果のほか、係止部に被係止部を係止し易くなり、プラグインブレーカを取り付ける作業が容易となる。
【図面の簡単な説明】
【図１】この発明の一実施の形態のプラグインブレーカの設置状態の部分断面図である。
【図２】その部分図である。
【図３】一方の係止部材本体を被係止部から外した状態の図２に対応する部分図である。
【図４】部分斜視図である。
【図５】係止部材とプラグインブレーカの一部を示す斜視図である。
【図６】係止部材の分解斜視図である。
【図７】分電盤の蓋体を外した状態の平面図である。
【図８】従来例のプラグインブレーカの取付状態の部分断面図である。
【図９】従来例の係止部材とプラグインブレーカの一部を示す斜視図である。
【符号の説明】
１　　ベース
２　　導電バー
３　　導電バー
４　　導電バー
５　　プラグインブレーカ
５ａ　　一方側端面
６　　係止部材
７　　引掛部
１０　　係合部
１１　　係合部
１６　　受刃
１７　　受刃
１８　　被引掛部
２２　　係止部
２３　　被係止部
２３ａ　　斜面
２５　　係止部材本体
２６　　支持体
３７　　押出し片
【図１】
2004147375.tif 000003
【図２】
2004147375.tif 000004
【図３】
2004147375.tif 000005
【図４】
2004147375.tif 000006
【図５】
2004147375.tif 000007
【図６】
2004147375.tif 000008
【図７】
2004147375.tif 000009
【図８】
2004147375.tif 000010
【図９】
2004147375.tif 000011